(57)【要約】【課題】原子炉圧力容器を合理的に解体撤去する。【解決手段】原子炉建屋１から原子炉圧力容器を撤去するに際し、原子炉圧力容器内にモルタル等の遮蔽材を充填して硬化せしめた後、その原子炉圧力容器を遮蔽材とともに切断して複数の分割体３ａ，３ｂ，３ｃに分割し、各分割体を原子炉建屋外へ順次搬出する。原子炉圧力容器の外側に遮蔽体８を装着した後、その横断面に沿って輪切り状態に切断し、その切断面にも遮蔽体１１を装着する。原子炉圧力容器の切断をワイヤーソーにより行う。【選択図】　　　図６
2004077149.tif 000002
【特許請求の範囲】
【請求項１】
原子炉建屋から原子炉圧力容器を撤去するに際し、原子炉圧力容器内にモルタル等の遮蔽材を充填して硬化せしめた後、その原子炉圧力容器を遮蔽材とともに切断して複数の分割体に分割し、各分割体を原子炉建屋外へ順次搬出することを特徴とする原子炉撤去工法。
【請求項２】
請求項１記載の原子炉撤去工法において、原子炉圧力容器の外側に遮蔽体を装着した後、その横断面に沿って輪切り状態に切断し、その切断面にも遮蔽体を装着することを特徴とする原子炉撤去工法。
【請求項３】
請求項１または２記載の原子炉撤去工法において、原子炉圧力容器の切断をワイヤーソーにより行うことを特徴とする原子炉撤去工法。
【発明の詳細な説明】
【０００１】
【発明の属する技術分野】
本発明は、原子炉建屋から原子炉圧力容器を撤去するための工法に関する。
【０００２】
【従来の技術】
原子炉の廃止措置に伴う原子炉圧力容器の安全かつ合理的な解体撤去工法の確立が急務とされている。原子炉圧力容器（以下、圧力容器と略す）を解体撤去するには、圧力容器を細分化して逐次撤去、処分する工法が現実的であると考えられている。
【０００３】
【発明が解決しようとする課題】
しかし、現時点で検討されている工法は、１ｍ３程度の容積の処分容器に収容し得る大きさに圧力容器を細分化するというものであり、したがって膨大な手間を要するばかりでなく、細分化に伴う汚染拡大及び作業者の被ばくを防止するための十分な対策も必要となる。
【０００４】
なお、圧力容器を細分化することなくその全体を一括して原子炉建屋から撤去することも考えられるが、その際には搬出重量が１０００トンを越えるものとなるので、そのような一括搬出を可能とするためには特別かつ巨大な揚重装置の開発が不可欠となり、現時点では非常に困難である。
【０００５】
上記事情に鑑み、本発明は圧力容器を撤去するための有効な工法を提供することを目的とする。
【０００６】
【課題を解決するための手段】
請求項１の発明は、原子炉建屋から圧力容器を撤去するに際し、圧力容器内にモルタル等の遮蔽材を充填して硬化せしめた後、その圧力容器を遮蔽材とともに切断して複数の分割体に分割し、各分割体を原子炉建屋外へ順次搬出することを特徴とする。
【０００７】
請求項２の発明は、請求項１の発明の原子炉撤去工法において、圧力容器の外側に遮蔽体を装着した後、その横断面に沿って輪切り状態に切断し、その切断面にも遮蔽体を装着することを特徴とする。
【０００８】
請求項３の発明は、請求項１または２の発明の原子炉撤去工法において、圧力容器の切断をワイヤーソーにより行うことを特徴とする。
【０００９】
【発明の実施の形態】
図１〜図６は本発明の実施形態である原子炉撤去工法の概要を示すものである。本実施形態の撤去工法は、原子炉建屋１内の圧力容器２を撤去するに際し、その圧力容器２内全体に遮蔽材としてモルタルを充填し、それが硬化した後、圧力容器２全体を横断面に沿って輪切りするように切断することによって分割体３ａ，３ｂ，３ｃに３分割し、それら分割体３ａ，３ｂ，３ｃを順次搬出するようにしたものである。
【００１０】
すなわち、まず図１に示すように、圧力容器２に接続されている各種配管類４を切断して撤去する。なお、必要に応じて格納容器５の上部に遮蔽バリア６（破線で示す）を設ければ良い。
【００１１】
次に、図２に示すように、原子炉建屋１内に設けた遮蔽材充填設備７から圧力容器２内全体にモルタル等の遮蔽材を充填する。
【００１２】
また、遮蔽材の充填作業に相前後して、図３に示すように圧力容器２の胴部に鋼板等の遮蔽体８を装着する。
【００１３】
その後、図４に示すように格納容器５の上部にジャッキ等の揚重装置９を設置し、それにより圧力容器２の上部を吊り支持しつつ、ワイヤーソー等の切断装置１０を用いて圧力容器２の上部および下部を胴部から切り離す。すなわち、圧力容器２全体を輪切りして分割体３ａ，３ｂ，３ｃに３分割する。
【００１４】
図５に示すように分割体３ａを揚重装置９により吊り上げ、その下面の切断面に鋼板等の遮蔽体１１を装着して密封する。また、分割体３ｂの上面の切断面にも同様に遮蔽体１１を装着して密封する。
【００１５】
図６に示すように、揚重装置９により分割体３ａを側方に搬送して仮置きし、今度は分割体３ｂを吊り上げてその下面の切断面に遮蔽体１１を装着して密封し、同様に分割体３ｃの上面の切断面にも遮蔽体１１を装着して密封する。最後に各分割体３ａ，３ｂ，３ｃを原子炉建屋１外に順次搬出する。なお、上記の３つの分割体３ａ，３ｂ，３ｃのうち、圧力容器２の上部および下部からの分割体３ａ、３ｃは放射化程度が低いので浅地中処分（深度１０ｍ程度）を行えば良く、胴部の分割体３ｂは放射化程度が比較的高いのでこれはやや深い地中処分（深度５０〜１００ｍ程度）を行えば良い。
【００１６】
本実施形態の撤去工法によれば、圧力容器２を僅かに３分割するにとどめ、各分割体３ａ，３ｂ，３ｃを順次搬出するので、圧力容器２を細分化する場合に比べてその作業効率を遙かに改善できるし、汚染拡大及び作業者の被ばくの懸念も少なく、したがって大幅な工期短縮と工費削減を実現することができる。また、圧力容器２全体をそのまま一括して搬出することは非現実的であるが、本実施形態のようにそれを３分割することで個々の分割体３ａ，３ｂ，３ｃはそれぞれジャッキ等の汎用の揚重装置９のみで搬出が可能な程度の重量に抑制することが可能であり、搬出後の搬送その他の作業も支障なく行うことができ、合理的である。
【００１７】
特に、本実施形態では、圧力容器２を切断するに先立ち、その内部全体にモルタル等の遮蔽材を充填して硬化させ、しかる後にワイヤーソー等の切断装置により輪切り状態に切断するので、切断作業を支障なく効率的に行い得るし、切断作業に伴う汚染拡大防止対策も簡便で済む。また、本実施形態では、各分割体３ａ，３ｂ，３ｃの切断面に遮蔽体１１を装着して密封し、さらに放射化程度の高い分割体３ｂに対してはその外側にも遮蔽体８を装着するので、十分な遮蔽性能を確保することができる。
【００１８】
なお、圧力容器２は３分割することに限らず、圧力容器２の形態や規模、搬出に使用する揚重装置９の能力その他の条件を考慮して分割数や分割位置を設定すれば良い。ただし、過度に細分化することは本発明の主旨にもとることになるので、諸条件を満たす範囲で分割数は少ない方が好ましいことは言うまでもない。
【００１９】
また、圧力容器２の切断はワイヤーソーによることが好ましくかつ現実的であるが、十分な汚染防止対策が可能であればたとえばウォータージェットによるジェットソー等の他の切断手段も採用可能である。さらに、上記実施形態のように圧力容器２は輪切り状態としてその切断面を遮蔽体１１により密封することが好ましいが、圧力容器２の形態や規模あるいは採用する切断手段によっては圧力容器２を他の形態で切断することでも良いし、各分割体の形態や放射化程度に応じて遮蔽構造も適宜変更して良く、上記実施形態における分割体３ａ，３ｃに対しても分割体３ｂと同様にその全体を遮蔽体１１により被覆することでも良い。
【００２０】
【発明の効果】
請求項１の発明は、原子炉建屋から圧力容器を撤去するに際し、圧力容器内にモルタル等の遮蔽材を充填して硬化せしめた後、その圧力容器を遮蔽材とともに切断して複数の分割体に分割し、各分割体を原子炉建屋外へ順次搬出するので、圧力容器を数分割するにとどめることで、圧力容器を細分化する場合に比べてその作業効率を遙かに改善できるし、汚染拡大及び作業者の被ばくの懸念も少なく、特別かつ巨大な揚重装置を必要とすることもなく、極めて合理的であり有効である。
【００２１】
請求項２の発明は、圧力容器の内部に遮蔽材を充填することに加えて、その外側に遮蔽体を装着した後、その横断面に沿って輪切り状態に切断し、その切断面にも遮蔽体を装着するので、分割体を確実かつ十分に遮蔽することができ、かつ切断作業を容易にかつ確実に行うことができる。
【００２２】
請求項３の発明は、圧力容器の切断をワイヤーソーにより行うので、切断作業を効率的に行うことができ、かつ切断作業に伴う汚染拡大防止及び作業者の被ばく低減対策も簡便で済む。
【図面の簡単な説明】
【図１】本発明の実施形態である撤去工法の概要を示すもので、圧力容器に付設されている配管類を撤去している状態を示す図である。
【図２】同、圧力容器内に遮蔽材を充填している状態を示す図である。
【図３】同、圧力容器の胴部に遮蔽体を装着した状態を示す図である。
【図４】同、圧力容器を切断している状態を示す図である。
【図５】同、圧力容器の上部の分割体を吊り上げた状態を示す図である。
【図６】同、圧力容器の中間部の分割体を吊り上げた状態を示す図である。
【符号の説明】
１　原子炉建屋
２　原子炉圧力容器
３ａ，３ｂ，３ｃ　分割体
８　遮蔽体
９　揚重装置
１０　切断装置（ワイヤーソー）
１１　遮蔽体
【図１】
2004077149.tif 000003
【図２】
2004077149.tif 000004
【図３】
2004077149.tif 000005
【図４】
2004077149.tif 000006
【図５】
2004077149.tif 000007
【図６】
2004077149.tif 000008